(57)【特許請求の範囲】
【請求項１】
ＬＴＥ（Long  Term  Evolution）ネットワークからＨＲＰＤ（High  Rate  Packet  Data）ネットワークへのユーザ機器（ＵＥ）のハードハンドオフを実行するための方法であって、  前記ＨＲＰＤネットワークのアクセスノードにおける前記ＵＥのハードハンドオフのための要求の受信に応じて、前記ＵＥが前記ＬＴＥネットワークとの無線接続を切断する前に、前記アクセスノードから前記ＨＲＰＤネットワーク内のＰＤＳＮ（Packet  Data  Service  Node）へ、前記ＨＲＰＤネットワーク内の前記ＵＥのためのＡ１０接続の確立を要求する登録要求メッセージを送信することと、  前記登録要求メッセージは、ハードハンドオフのための受信された前記要求に従って決定される情報であって、前記ＵＥと前記ＬＴＥネットワークとの間の前記無線接続の切断から前記ＨＲＰＤネットワークにおけるＡ１０接続の形成までの切断−接続遅延を低減するために、前記ＨＲＰＤネットワーク内の前記ＵＥの認証を回避することができるかの判定において前記ＰＤＳＮにより使用される当該情報を含むことと、  を含む方法。
【請求項２】
ハードハンドオフのための受信された前記要求に従って決定される前記情報は、前記ハンドオフの後に同じゲートウェイの使用を可能にするための、ゲートウェイノードに関連付けられるＩＰアドレスを含む、請求項１に記載の方法。
【請求項３】
ハードハンドオフのための受信された前記要求に従って決定される前記情報は、システム間ソースアクセスネットワーク識別子を含む、請求項１に記載の方法。
【請求項４】
ハードハンドオフのための受信された前記要求に従って決定される前記情報は、前記ＬＴＥネットワークにおいて前記ＵＥが既に認証されたことを示すセキュリティステータス情報を含む、請求項１に記載の方法。
【請求項５】
ハードハンドオフのための受信された前記要求に従って決定される前記情報は、ハードハンドオフのための受信された前記要求に明示的に含まれる、請求項１に記載の方法。
【請求項６】
ＬＴＥ（Long  Term  Evolution）ネットワークからＨＲＰＤ（High  Rate  Packet  Data）ネットワークへのユーザ機器（ＵＥ）のハードハンドオフを実行する際に使用される、前記ＨＲＰＤネットワークのアクセスノードであって、  前記ＵＥのハードハンドオフのための要求を受信し、前記ＵＥのハードハンドオフのための当該要求の受信に応じて、前記ＵＥが前記ＬＴＥネットワークとの無線接続を切断する前に、ＰＤＳＮ（Packet  Data  Service  Node）へ、前記ＨＲＰＤネットワーク内の前記ＵＥのためのＡ１０接続の確立を要求する登録要求メッセージを送信するように適合されるプロセッサ、を備え、  前記登録要求メッセージは、ハードハンドオフのための受信された前記要求に従って決定される情報であって、前記ＵＥと前記ＬＴＥネットワークとの間の前記無線接続の切断から前記ＨＲＰＤネットワークにおけるＡ１０接続の形成までの切断−接続遅延を低減するために、前記ＨＲＰＤネットワーク内の前記ＵＥの認証を回避することができるかの判定において前記ＰＤＳＮにより使用される当該情報を含む、  アクセスノード。
【請求項７】
ハードハンドオフのための受信された前記要求に従って決定される前記情報は、前記ハンドオフの後に同じゲートウェイの使用を可能にするための、ゲートウェイノードに関連付けられるＩＰアドレスを含む、請求項６に記載のアクセスノード。
【請求項８】
ハードハンドオフのための受信された前記要求に従って決定される前記情報は、システム間ソースアクセスネットワーク識別子を含む、請求項６に記載のアクセスノード。
【請求項９】
ハードハンドオフのための受信された前記要求に従って決定される前記情報は、前記ＬＴＥネットワークにおいて前記ＵＥが既に認証されたことを示すセキュリティステータス情報を含む、請求項６に記載のアクセスノード。
【請求項１０】
ハードハンドオフのための受信された前記要求に従って決定される前記情報は、ハードハンドオフのための受信された前記要求に明示的に含まれる、請求項６に記載のアクセスノード。
【請求項１１】
ＬＴＥ（Long  Term  Evolution）ネットワークからＨＲＰＤ（High  Rate  Packet  Data）ネットワークへのユーザ機器（ＵＥ）のハードハンドオフを実行するための方法であって、  前記ＨＲＰＤネットワークのアクセスノードにおいて受信される前記ＵＥのハンドオフのための要求に応じて、前記ＨＲＰＤネットワークのＧＷ−ＰＤＳＮ（Gateway  Packet  Data  Service  Node）において、前記ＵＥが前記ＬＴＥネットワークとの無線接続を切断する前に、前記ＨＲＰＤネットワーク内の前記ＵＥのためのＡ１０接続の確立を要求する登録要求メッセージを前記アクセスノードから受信することと、  前記登録要求メッセージは、前記ＵＥのハンドオフのための前記要求に従って決定される情報であって、前記ＨＲＰＤネットワーク内の前記ＵＥの認証を回避することができるかの判定において使用される当該情報を含むことと、  前記登録要求メッセージに含まれる前記情報に従ってなされる、前記ＨＲＰＤネットワーク内の前記ＵＥの認証が必要ではないとの判定に応じて、前記ＵＥと前記ＬＴＥネットワークとの間の前記無線接続の切断から前記ＨＲＰＤネットワークにおけるＡ１０接続の形成までの切断−接続遅延を低減するために、前記ＨＲＰＤネットワーク内で前記ＵＥを認証することなく、前記ＵＥのための前記Ａ１０接続の確立を開始することと、  を含む方法。
【請求項１２】
前記登録要求メッセージに含まれる前記情報は、  （ａ）前記ハンドオフの後に同じゲートウェイの使用を可能にするための、ゲートウェイノードに関連付けられるＩＰアドレス、  （ｂ）システム間ソースアクセスネットワーク識別子、及び  （ｃ）前記ＬＴＥネットワークにおいて前記ＵＥが既に認証されたことを示すセキュリティステータス情報  のうち少なくとも１つを含む、請求項１１に記載の方法。
【請求項１３】
ＬＴＥ（Long  Term  Evolution）ネットワークからＨＲＰＤ（High  Rate  Packet  Data）ネットワークへのユーザ機器（ＵＥ）のハードハンドオフを実行する際に使用される、前記ＨＲＰＤネットワークのＧＷ−ＰＤＳＮ（Gateway  Packet  Data  Service  Node）であって、  前記ＵＥが前記ＬＴＥネットワークとの無線接続を切断する前に、アクセスノードから、前記ＨＲＰＤネットワーク内の前記ＵＥのためのＡ１０接続の確立を要求する登録要求メッセージを受信するように適合されるプロセッサ、を備え、  前記登録要求メッセージは、前記アクセスノードにより決定される情報であって、前記ＨＲＰＤネットワーク内の前記ＵＥの認証を回避することができるかの判定において使用される当該情報を含むことと、  前記プロセッサは、前記登録要求メッセージに含まれる前記情報に従って、前記ＨＲＰＤネットワーク内の前記ＵＥの認証が必要ではないことを判定し、当該判定に従って、前記ＵＥと前記ＬＴＥネットワークとの間の前記無線接続の切断から前記ＨＲＰＤネットワークにおけるＡ１０接続の形成までの切断−接続遅延を低減するために、前記ＨＲＰＤネットワーク内で前記ＵＥを認証することなく、前記ＵＥのための前記Ａ１０接続の確立を開始するように適合される、  ＧＷ−ＰＤＳＮ。
【請求項１４】
前記登録要求メッセージに含まれる前記情報は、  （ａ）前記ハンドオフの後に同じゲートウェイの使用を可能にするための、ゲートウェイノードに関連付けられるＩＰアドレス、  （ｂ）システム間ソースアクセスネットワーク識別子、及び  （ｃ）前記ＬＴＥネットワークにおいて前記ＵＥが既に認証されたことを示すセキュリティステータス情報  のうち少なくとも１つを含む、請求項１３に記載のＧＷ−ＰＤＳＮ。
【請求項１５】
ＨＲＰＤ（High  Rate  Packet  Data）ネットワークからＬＴＥ（Long  Term  Evolution）ネットワークへのユーザ機器（ＵＥ）のハードハンドオフを実行するための方法であって、  前記ＵＥのハンドオフが必要であるという前記ＨＲＰＤネットワークのアクセスノードにおける判定に応じて、前記ＬＴＥネットワークのＭＭＥ（Mobility  Management  Entity）において、当該ハンドオフの間の前記ＬＴＥネットワーク内の前記ＵＥの認証を回避するための情報を含む要求メッセージを前記アクセスノードから受信することと、  前記ＭＭＥにおいて、前記情報を用いて、前記ＵＥと前記ＨＲＰＤネットワークとの間の無線接続の切断から前記ＵＥと前記ＬＴＥネットワークとの間のセッションの確立までの切断−接続遅延を低減するために、前記ＬＴＥネットワーク内で前記ＵＥを認証することなく、前記ＵＥのためのデータセッションの確立を開始することと、  を含む方法。
【請求項１６】
前記情報は、  （ａ）前記ハンドオフの後に同じゲートウェイの使用を可能にするための、ゲートウェイノードに関連付けられるＩＰアドレス、  （ｂ）システム間ソースアクセスネットワーク識別子、及び  （ｃ）前記ＨＲＰＤネットワークにおいて前記ＵＥが既に認証されたことを示すセキュリティステータス情報  のうち少なくとも１つを含む、請求項１５に記載の方法。
【請求項１７】
ＨＲＰＤ（High  Rate  Packet  Data）ネットワークからＬＴＥ（Long  Term  Evolution）ネットワークへのユーザ機器（ＵＥ）のハードハンドオフを実行する際に使用される、前記ＬＴＥネットワークのＭＭＥ（Mobility  Management  Entity）であって、  前記ＵＥのハンドオフが必要であるという前記ＨＲＰＤネットワークのアクセスノードにおける判定に応じて、当該ハンドオフの間の前記ＬＴＥネットワーク内の前記ＵＥの認証を回避するための情報を含む要求メッセージを前記アクセスノードから受信するように適合されるプロセッサ、を備え、  前記ＭＭＥは、前記情報を用いて、前記ＵＥと前記ＨＲＰＤネットワークとの間の無線接続の切断から前記ＵＥと前記ＬＴＥネットワークとの間のセッションの確立までの切断−接続遅延を低減するために、前記ＬＴＥネットワーク内で前記ＵＥを再認証することなく、前記ＵＥのためのデータセッションの確立を開始する、 ＭＭＥ。
【請求項１８】
前記情報は、  （ａ）前記ハンドオフの後に同じゲートウェイの使用を可能にするための、ゲートウェイノードに関連付けられるＩＰアドレス、  （ｂ）システム間ソースアクセスネットワーク識別子、及び  （ｃ）前記ＨＲＰＤネットワークにおいて前記ＵＥが既に認証されたことを示すセキュリティステータス情報  のうち少なくとも１つを含む、請求項１７に記載のＭＭＥ。
【請求項１９】
ＨＲＰＤ（High  Rate  Packet  Data）ネットワークからＬＴＥ（Long  Term  Evolution）ネットワークへのユーザ機器（ＵＥ）のハードハンドオフを実行するための方法であって、  前記ＵＥのハンドオフが必要であるという前記ＨＲＰＤネットワークのアクセスノードにおける判定に応じて、前記ＨＲＰＤネットワークのＧＷ−ＰＤＳＮ（Gateway  Packet  Data  Service  Node）において、当該ハンドオフの間の前記ＬＴＥネットワーク内の前記ＵＥの認証を回避するための情報を含む要求メッセージを前記ＬＴＥネットワークのＭＭＥ（Mobility  Management  Entity）から受信することと、  前記ＧＷ−ＰＤＳＮにおいて、前記要求メッセージに応答することにより、前記ＵＥと前記ＨＲＰＤネットワークとの間の無線接続の切断から前記ＵＥと前記ＬＴＥネットワークとの間のセッションの確立までの切断−接続遅延を低減するために、前記ＬＴＥネットワーク内で前記ＵＥを認証することなく、前記ＵＥのためのデータセッションの確立を前記ＭＭＥに開始させることと、  を含む方法。
【請求項２０】
前記情報は、  （ａ）前記ハンドオフの後に同じゲートウェイの使用を可能にするための、ゲートウェイノードに関連付けられるＩＰアドレス、  （ｂ）システム間ソースアクセスネットワーク識別子、及び  （ｃ）前記ＨＲＰＤネットワークにおいて前記ＵＥが既に認証されたことを示すセキュリティステータス情報  のうち少なくとも１つを含む、請求項１９に記載の方法。
【請求項２１】
ＨＲＰＤ（High  Rate  Packet  Data）ネットワークからＬＴＥ（Long  Term  Evolution）ネットワークへのユーザ機器（ＵＥ）のハードハンドオフを実行する際に使用される、前記ＨＲＰＤネットワークのＧＷ−ＰＤＳＮ（Gateway  Packet  Data  Service  Node）であって、  前記ＵＥのハンドオフが必要であるという前記ＨＲＰＤネットワークのアクセスノードにおける判定に応じて、当該ハンドオフの間の前記ＬＴＥネットワーク内の前記ＵＥの認証を回避するための情報を含む要求メッセージを前記ＬＴＥネットワークのＭＭＥ（Mobility  Management  Entity）から受信するように適合されるプロセッサ、を備え、  前記ＧＷ−ＰＤＳＮは、前記要求メッセージに応答することにより、前記ＵＥと前記ＨＲＰＤネットワークとの間の無線接続の切断から前記ＵＥと前記ＬＴＥネットワークとの間のセッションの確立までの切断−接続遅延を低減するために、前記ＬＴＥネットワーク内で前記ＵＥを再認証することなく、前記ＵＥのためのデータセッションの確立を前記ＭＭＥに開始させる、  ＧＷ−ＰＤＳＮ。
【請求項２２】
前記情報は、  （ａ）前記ハンドオフの後に同じゲートウェイの使用を可能にするための、ゲートウェイノードに関連付けられるＩＰアドレス、  （ｂ）システム間ソースアクセスネットワーク識別子、及び  （ｃ）前記ＨＲＰＤネットワークにおいて前記ＵＥが既に認証されたことを示すセキュリティステータス情報  のうち少なくとも１つを含む、請求項２１に記載のＧＷ−ＰＤＳＮ。
【発明の詳細な説明】
【技術分野】
【０００１】
本出願は、本出願と同日出願の、リラ・マドゥール、アンデーシュ・ルンドストロム、サミー・トゥアティに対する米国特許出願番号１１／８５６７９７号明細書、題名同じく「Ｉｎｔｅｒ‐Ｓｙｓｔｅｍ  Ｈａｎｄｏｆｆｓ  Ｉｎ  Ｍｕｌｔｉ‐Ａｃｃｅｓｓ  Ｅｎｖｉｒｏｎｍｅｎｔｓ（マルチアクセス環境におけるシステム間ハンドオフ）」に関連しており、上記明細書の開示は、参照によって本明細書に組み入れる。
【０００２】
本発明は、広く電気通信システムに関し、特にシステム間ハンドオフを行う方法およびシステムに関する。
【背景技術】
【０００３】
無線通信ネットワークは、もともと、主に回路交換ネットワークによって音声サービスを提供するために開発されたものである。例えばいわゆる２．５Ｇや３Ｇネットワークへパケット回路が導入されたことで、ネットワークオペレータが音声サービスとともにデータサービスも提供することが可能となる。結果的に、ネットワークアーキテクチャは、音声サービスおよびデータサービスの両方を提供する全ＩＰネットワークに向けて発展していくであろう。しかしながら、ネットワークオペレータは既存のインフラストラクチャに実体的な投資があり、したがって、徐々に全ＩＰネットワークアーキテクチャへ移行し、既存のインフラストラクチャに対する投資から十分な価値を引き出すことができるようにすることを好むのが典型的である。レガシインフラストラクチャを用いつつ、次世代無線通信アプリケーションのサポートに必要な能力を提供するため、ネットワークオペレータはハイブリッドネットワークを展開し、全ＩＰベースのネットワークへ移行する第１ステップとして次世代無線通信システムが既存の回路交換ネットワークやパケット交換ネットワークに重複することになる。
【０００４】
このようなハイブリッドネットワークの一例として、高速パケットデータ（ＨＲＰＤ：ｈｉｇｈ  ｒａｔｅ  ｐａｃｋｅｔ  ｄａｔａ）システムなどの既存の３ＧＰＰ２無線通信システムに次世代の「長期発展型（ＬＴＥ：ｌｏｎｇ  ｔｅｒｍ  ｅｖｏｌｕｔｉｏｎ）」システムを重複させたものが挙げられる。当業者であれば明らかであろうが、ＨＲＰＤシステムは時に多くの名前や頭字語で呼ぶものである。例えば、ＨＲＰＤシステムは、「高速データ（ＨＲＤ：ｈｉｇｈ  ｒａｔｅ  ｄａｔａ）」システムと呼ばれたり、ＴＩＡ‐ＥＩＡが推奨するそのエアインタフェース規格、すなわちＩＳ‐８５６と呼ばれたりしている。ＩＳ‐８５６規格は、題名を「ｃｄｍａ２０００（登録商標）Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ（ｃｄｍａ２０００（登録商標）高速パケットデータエアインタフェース仕様書）（２０００）」といい、オンラインでｗｗｗ．ｔｉａｏｎｌｉｎｅ．ｏｒｇにて入手可能なものであり、参照により本明細書に組み入れる。加えて、ＨＲＰＤシステムは、符号分割多元アクセス（ＣＤＭＡ：ｃｏｄｅ  ｄｉｖｉｓｉｏｎ  ｍｕｌｔｉｐｌｅ  ａｃｃｅｓｓ）スキームを用いるものであり、ＣＤＭＡ２０００から発展したものであるため、時に、ＣＤＭＡ２０００の「Ｅｖｏｌｕｔｉｏｎ，  Ｄａｔａ‐Ｏｎｌｙ（発展、データオンリー）」バージョンを指す「１ｘＥＶ‐ＤＯ」と呼ぶこともある。同様に、例えば、ＬＴＥシステムは、パフォーマンスの改善を意図した次世代（４Ｇ）広帯域ＣＤＭＡ（ＷＣＤＭＡ：ｗｉｄｅｂａｎｄ  ＣＤＭＡ）システムを指す。ＬＴＥシステムは、未だ規格化されたものではないが、最終的にはＵＭＴＳ規格の新バージョンにしたがって設計されることであろう。例えば、オンラインでｗｗｗ．３ｇｐｐ．ｏｒｇにて入手可能な３ＧＰＰ  ＴＲ  ２５．９１３を参照のこと。ＬＴＥシステムが目標とするパフォーマンスゴールについては、現時点では、５ＭＨｚセルごとに２００アクティブコールのサポートや、小ＩＰパケットに対するサブ５ｍＳ待ち時間が挙げられる。
【０００５】
ＬＴＥシステムがＨＲＰＤシステムに重複した場合、様々な種類のシステム間相互運用が望ましいものとなるが、そのうちの１つがハンドオフあるいはハンドオーバである。システム間ハンドオフとは、例えば、現時点で第１の無線通信システムによってサポートされているセルラ電話、無線ＰＤＡ、ノート型パーソナルコンピュータなどの移動体を第２の無線通信システムのサポートへ移行させる処理をいう。本明細書については、概念的に図１に示すように、着目するシステム間ハンドオフとしては、ＨＲＰＤアクセスネットワーク２０からＬＴＥアクセスネットワーク３０へ、またはその逆方向への移動体１０の通信サポートの移行が挙げられる。このようなハンドオフを行う理由は様々あり得る。例えば、目下ＨＲＰＤアクセスネットワーク２０によってサービスが提供されている移動体１０が、ＬＴＥアクセスネットワーク３０の方が良好なサービスを提供できる地理領域に移動した場合である。あるいは、システム間ハンドオフを行い、ＨＲＰＤアクセスネットワーク２０とＬＴＥアクセスネットワーク３０との間で負荷のバランスをとるということもある。
【０００６】
特にハンドオフのためではなくとも、移動体１０がＬＴＥアクセスネットワーク３０に出入りすることに対するサポートの責任を全うするためには、様々な信号送信を行う必要がある。加えて、ＨＲＰＤアクセスネットワーク２０からの信号とＬＴＥアクセスネットワーク３０からの信号を移動体１０が同時に受信できる限り、システム間ハンドオフは、ソフト（「メークビフォーブレーク（ｍａｋｅ  ｂｅｆｏｒｅ  ｂｒｅａｋ）」）ハンドオフではなく、むしろハード（「ブレークビフォーメーク（ｂｒｅａｋ  ｂｅｆｏｒｅ  ｍａｋｅ）」）ハンドオフとなる。ハードハンドオフにおいては、移動体１０がＨＲＰＤアクセスネットワーク２０またはＬＴＥアクセスネットワーク３０のどちらかに接続されていないという邪魔な時間を最小化することがさらに望ましい。したがって、本明細書で説明する実施形態例は、かかるシステム間ハンドオフを容易なものとする機構に対する必要性に取り組むものである。
【発明の概要】
【０００７】
一実施形態例によれば、第１無線アクセスネットワーク（ＲＡＮ）種から第２ＲＡＮ種へのユーザ装置（ＵＥ）のハンドオフに関連した情報を通信する方法が、第１ＲＡＮ種に関連した第１のノードにおいて、ハンドオフの要求を受信することと、第２ＲＡＮ種における第２のノードに向けて、（ａ）ゲートウェイノードに関連したＩＰアドレスと、（ｂ）システム間ソースアクセスネットワーク識別子と、（ｃ）セキュリティステータス情報とのうち少なくとも１つを含む第１のメッセージを送信することとを含む。
【０００８】
別の実施形態例によれば、システム間マルチアクセスノードが、ハンドオフの要求を受信し、（ａ）ゲートウェイノードに関連したＩＰアドレスと、（ｂ）システム間ソースアクセスネットワーク識別子と、（ｃ）セキュリティステータス情報とのうち少なくとも１つを含む第１のメッセージを別のノードに向けて送信する処理部を備える。
【０００９】
さらに別の実施形態例によれば、長期発展型（ＬＴＥ）無線アクセスネットワーク（ＲＡＮ）から高速パケットデータ（ＨＲＰＤ）ＲＡＮへのユーザ装置（ＵＥ）のハンドオフに関連した情報を通信する方法が、ＵＥとＬＴＥＲＡＮとの間の第１の無線接続をブレークする前に、ゲートウェイパケットデータサービングノード（ＧＷ‐ＰＤＳＮ）において、ＨＲＰＤＲＡＮにおけるターゲットアクセスノードとＧＷ‐ＰＤＳＮとの間にＡ１０接続を確立するＡ１１登録要求を受信することを含む。
【００１０】
なおも別の実施形態例によれば、ゲートウェイパケットデータサービングノード（ＧＷ‐ＰＤＳＮ）が、ユーザ装置（ＵＥ）と長期発展型（ＬＴＥ）無線アクセスネットワーク（ＲＡＮ）との間の第１の無線接続をブレークする前に、高速パケットデータ（ＨＲＰＤ）ＲＡＮにおけるターゲットアクセスノードと前記ＧＷ‐ＰＤＳＮの間にＡ１０接続を確立するＡ１１登録要求を受信する処理部を備える。
【００１１】
別の実施形態例によれば、長期発展型（ＬＴＥ）無線アクセスネットワーク（ＲＡＮ）から高速パケットデータ（ＨＲＰＤ）ＲＡＮへユーザ装置（ＵＥ）をハンドオフする方法が、ＵＥとＨＲＰＤＲＡＮとの間の休止接続を維持することと、ＵＥからＨＲＰＤＲＡＮに関連したターゲットアクセスノードへ接続要求を送信し、ＬＴＥＲＡＮとの第１の無線接続をブレークすることと、ターゲットアクセスノードから、ＨＲＰＤトラフィックチャネル割当を受信することと、ＵＥによって、割り当てられたＨＲＰＤトラフィックチャネルにチューニングすることとを含む。
【００１２】
添付図面は、本発明の実施形態例を示すものである。
【図面の簡単な説明】
【００１３】
【図１】図１は、高速パケットデータ（ＨＲＰＤ）無線アクセスネットワーク（ＲＡＮ）と長期発展型（ＬＴＥ）ＲＡＮとの間の移動局のハンドオフを示す。
【図２（ａ）】図２（ａ）は、一実施形態例に係るＩＰマルチメディアシステム（ＩＭＳ）アーキテクチャを用いるハイブリッド無線アクセスネットワークを示す。
【図２（ｂ）】図２（ｂ）は、より詳細に図２（ａ）のハイブリッド無線アクセスネットワーク例を示す。
【図３】図３は、一実施形態例に係るＬＴＥＲＡＮからＨＲＰＤＲＡＮへのユーザ装置（ＵＥ）のハンドオフに関連した信号送信を示す。
【図４】図４は、別の実施形態例に係るＬＴＥＲＡＮからＨＲＰＤＲＡＮへのＵＥのハンドオフに関連した信号送信を示す。
【図５】図５は、さらに別の実施形態例に係るＬＴＥＲＡＮからＨＲＰＤＲＡＮへのＵＥのハンドオフに関連した信号送信を示す。
【図６】図６は、一実施形態例に係るＨＲＰＤＲＡＮからＬＴＥＲＡＮへのＵＥのハンドオフに関連した信号送信を示す。
【図７】図７および図８は、パケットデータサービングノード（ＰＤＳＮ）とシステムアーキテクチャ発展型ゲートウェイ（ＳＡＥ‐ＧＷ）とが別々のノードである実施形態例に関連したハンドオフ信号送信を示す。
【図８】図７および図８は、パケットデータサービングノード（ＰＤＳＮ）とシステムアーキテクチャ発展型ゲートウェイ（ＳＡＥ‐ＧＷ）とが別々のノードである実施形態例に関連したハンドオフ信号送信を示す。
【図９】図９は、一実施形態例に係る通信ノード例としてのサーバを示す。
【発明を実施するための形態】
【００１４】
以下の実施形態例の詳細な説明では添付図面を参照する。異なる図面における同一の参照番号は、同一または同様のエレメントを識別するものである。また、以下の詳細な説明は本発明を限定するものではない。本発明の範囲は、以下の詳細な説明ではなく添付の特許請求の範囲によって定められるのである。
【００１５】
上述のように、ＨＲＰＤアクセスネットワークとＬＴＥアクセスネットワークとの間の接続についてハンドオフを行う機構および方法を提供することが望ましい。したがって、この議論に多少の背景を与えるため、ＨＲＰＤ（３ＧＰＰ２）アクセスネットワーク２０２およびＬＴＥアクセスネットワーク２０４の双方を備えたハイブリッドシステム例２００を図２（ａ）および図２（ｂ）として与え、ここで説明することにする。一般性のため、またを以下のハンドオフの議論を容易なものとするため、ハイブリッドシステム２００は、ホームパブリックランドモバイルネットワーク（ＨＰＬＭＮ：ｈｏｍｅ  ｐｕｂｌｉｃ  ｌａｎｄ  ｍｏｂｉｌｅ  ｎｅｔｗｏｒｋ）２０６およびビジテドパブリックランドモバイルネットワーク（ＶＰＬＭＮ：ｖｉｓｉｔｅｄ  ｐｕｂｌｉｃ  ｌａｎｄ  ｍｏｂｉｌｅ  ｎｅｔｗｏｒｋ）２０８の双方を備え、また無線ネットワークが接続される様々なＩＰネットワーク２１０（例えばインターネットが挙げられる）も備えるものとする。各アクセスネットワーク２０２および２０４はそれぞれ多くの基地局２１３および２１２を備え、図２（ｂ）に見られるようにそれぞれエアインタフェース２１６および２１８を介した移動局２１４への無線アクセスを提供することとなる。エアインタフェース２１６および２１８については、個々にそれぞれのアクセスネットワークに対する仕様である。より具体的には、エアインタフェース２１６は、上で参照により組み入れたＩＳ‐８５６規格による仕様であり、エアインタフェース２１８については未だ規格化はされていないが、例えば、直交周波数分割多元アクセス（ＯＦＤＭＡ：ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）ダウンリンクと単一キャリア周波数分割多元アクセス（ＳＣ‐ＦＤＭＡ：ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）アップリンクとを備えることが予想される。表記上、ＨＲＰＤ基地局２０６については典型的に「アクセスノード（ＡＮ：ａｃｃｅｓｓ  ｎｏｄｅ）」といい、ＬＴＥ基地局２０６については典型的に「発展型ＮｏｄｅＢ（ｅＮＢ：ｅｖｏｌｖｅｄ  Ｎｏｄｅ  Ｂ）」という。無線アクセスネットワーク２０２および２０４は、基地局２０６に加えて、図示を単純化するため図２（ａ）および図（ｂ）には示していないが、パケット制御機能（ＰＣＦ：ｐａｃｋｅｔ  ｃｏｎｔｒｏｌ  ｆｕｎｃｔｉｏｎ）などの他の機能体も備える。
【００１６】
図２（ａ）に戻るが、ＨＲＰＤアクセスネットワーク２０２およびＬＴＥアクセスネットワーク２０４の双方のエレメントは、この実施形態例によれば、集積システムアーキテクチャ発展型（ＳＡＥ：ｓｙｓｔｅｍ  ａｒｃｈｉｔｅｃｔｕｒｅ  ｅｖｏｌｕｔｉｏｎ）ゲートウェイ（ＧＷ：ｇａｔｅｗａｙ）‐ユーザプレーン体（ＵＰＥ：ｕｓｅｒ  ｐｌａｎｅ  ｅｎｔｉｔｙ）／ＰＤＳＮ２２０へ接続されている。エレメント２２０のＰＤＳＮの態様は、Ａ１０／Ａ１１インタフェースあるいは参照ポイントを介してＩＰネットワーク２１０と無線アクセスネットワーク２０２とを相互接続するＨＲＰＤエレメントを関するものであり、また、ハイブリッドシステム２００のＨＲＰＤ部分における他のＰＤＳＮ（図示せず）に対する相互接続性も提供するものである。図２（ａ）に示すハイブリッドネットワーク２００のＨＲＰＤ部分に関連したＡインタフェース／参照ポイントは、例えば、ｗｗｗ．ｔｉａｏｎｌｉｎｅ．ｏｒｇにて入手可能なＴＩＡ‐８７８‐Ａ（Ａ．Ｓ０００８）やＴＩＡ‐１８７８‐Ａ（Ａ．Ｓ０００９）における仕様であり、上記は参照により本明細書に組み入れる。
【００１７】
同様に、エレメント２２０のＳＡＥＧＷ‐ＵＰＥの態様は、Ｓ１インタフェースおよびＳＧｉインタフェースを介してＩＰネットワーク２１０と無線アクセスネットワーク２０４とを相互接続するＬＴＥエレメントに関するものであり、例えばホームゲートウェイ２２２など、ハイブリッドシステム２００のＬＴＥ部分における他のＳＡＥＧＷに対する相互接続性も提供するものである。図２（ａ）に示すハイブリッドネットワーク２００のＬＴＥ部分に関連したＳインタフェース／参照ポイントは、例えば規格文書３ＧＰＰＴＳ２３‐４０２における仕様である。加えて、ＳＡＥＧＷ‐ＵＰＥ／ＰＤＳＮ２２０およびＳＡＥＧＷ２２３は、それぞれ、加入者に関連したデータを格納する格納場所である集積ホーム加入者サービス（ＨＳＳ：ｈｏｍｅ  ｓｕｂｓｃｒｉｂｅｒ  ｓｅｒｖｉｃｅ）認証・許可・課金（ＡＡＡ：ａｕｔｈｅｎｔｉｃａｔｉｏｎ，  ａｕｔｈｏｒｉｚａｔｉｏｎ  ａｎｄ  ａｃｃｏｕｎｔｉｎｇ）サーバ２２４および２２６に接続されており、当該データを用いて様々なサービスを提供する。かかるサービスのいくつかをハンドオフについて以下で説明することにする。
【００１８】
モビリティ管理体（ＭＭＥ：ｍｏｂｉｌｉｔｙ  ｍａｎａｇｅｍｅｎｔ  ｅｎｔｉｔｙ）２２８は、ｅＮＢ２１２へのページングメッセージの配信を管理するＬＴＥシステム体であり、また以下で説明する実施形態例に係るハンドオフ信号送信に関するものである。さらに、ＭＭＥ２２８をＬＴＥＲＡＮ２０４、ＨＳＳ／ＡＡＡ２２４、ＳＡＥＧＷ‐ＵＰＥ／ＰＤＳＮ２２０と相互接続するＳ１、Ｓ６、Ｓ１１インタフェースに加えて、実施形態例によって、ＭＭＥ２２８とＨＲＰＤＲＡＮ２０２との間に追加してある。この新たなインタフェースは、本明細書では「Ａｘ」インタフェースというが、以下で説明するように、ＨＲＰＤＲＡＮ２０２とＬＴＥＲＡＮ２０４との間の移動局２１４のハンドオフを容易なものとするために用いる。
【００１９】
図２（ａ）および図２（ｂ）に示すハイブリッドシステムアーキテクチャ例は、純粋に例示的なものであり、以下の実施形態例は他のアーキテクチャでも実施可能であることを了解されたい。例えば、ハイブリッドネットワーク例２００ではいくつかのＨＲＰＤシステムエレメントが対応のＬＴＥシステムエレメントと集積されているように図示しているが、これは必要なことではない。実際、以下でも、ある実施形態例では、図２（ａ）に示す集積ＳＡＥＧＷ／ＰＤＳＮを有するアーキテクチャについてハンドオフを説明するが、他の実施形態例では、明らかに、かかるエレメントが分離したアーキテクチャについて考える。
【００２０】
このような実施形態例によれば、ハンドオフ間のブレークタイムを削減するため、信号送信が、あるアクセスネットワーク（ＨＲＰＤかＬＴＥ）が他の上記アクセスネットワークからの移動体のハンドオフの前に資源を用意することを可能とする構成を有する。このことについては、特に、上述の新たなＡｘインタフェースＭＭＥ２２８とＨＲＰＤＲＡＮ２０２との間に提供し、当該インタフェースを用いて、来るハンドオフのための資源準備の役に立つレイヤ２信号を伝送することで達成される。例えば、以下で詳細に説明するが、Ａｘインタフェースは「システム間ソースアクセスネットワーク識別子（Ｉｎｔｅｒ  Ｓｙｓｔｅｍ  Ｓｏｕｒｃｅ  Ａｃｃｅｓｓ  Ｎｅｔｗｏｒｋ  Ｉｄｅｎｔｉｆｉｅｒ）」を搬送するものとすることが可能であり、システム間ソースアクセスネットワーク識別子とは、システム間ハンドオフ後のＵＥ２１４の再認証の防止に利用可能な情報を含むものである。別の例としては、「セキュリティステータス」情報エレメントで、端末がハンドオフ前に第１のネットワークにおいて認証されており再認証の必要がないことを示すこともできる。他の実施形態例では、そうではなくて、新たな「Ａｘ」インタフェースを介するのではなく、例えばＡ２１インタフェースなどの既存のインタフェースに変更して、本明細書で説明するＬＴＥからＨＲＰＤへのハンドオフ／ＨＲＰＤからＬＴＥへのハンドオフに関連した情報エレメントを伝送するものとすることも可能であることは、当業者であれば了解のことであろう。
【００２１】
第１の実施形態例によれば、図３に示すレイヤ２（リンクレイヤ）信号送信を用いて、ＬＴＥＲＡＮ２０４からＨＲＰＤＲＡＮ２０２へ、移動体２１４のゲートウェイ内ハードハンドオフを行うことができる。当業者には明らかであろうが、ハンドオフは、レイヤ２信号送信に対しては実体的に独立であるレイヤ３（ネットワークレイヤ）信号送信も含むであろう。ＨＲＰＤ‐ＬＴＥハードハンドオフに対するレイヤ３信号送信の一例は、上で参照により組み入れた関連出願において見出すことができる。ここで図３を見ると、移動体（本明細書では「ユーザ装置」あるいは「ＵＥ」ということもある）２１４ははじめＬＴＥｅＮＢ２１２を介してＬＴＥシステムに接続されており、アップリンクデータをＬＴＥシステムへ送信し、ダウンリンクデータをＬＴＥシステムから受信している。ステップ３００において、システムまたはＵＥのどちらかが、信号強度または品質の測定に基づいて、ハイブリッドシステム２００のＨＲＰＤ部分へのハンドオフを行うと決める。これにより、目下サービス中のｅＮＢ２１２からＭＭＥ２２８へ再配置要求信号３０２が送信されることとなる。この実施形態例によれば、次に、ＭＭＥ２２８がＡｘインタフェースを介してターゲットＨＲＰＤＡＮ２１３へＩＳセッションコンテキスト要求メッセージ３０４を送信する。メッセージ３０４は、例えば以下のシステム間情報のうちのいくつかまたは全部を含むものとすることができる。ＵＥ２１４に関連したＩＤ（ＭＮ‐ＩＤ）。サービングＧＷ識別子（たとえばＧＷ２２０に関連したＩＰアドレス。ハンドオフ前後で同一のＧＷ２２０が使用可能）。ＧＷ間ハンドオフアドレス（例えば目下サービス中のＧＷ２２０がハンドオフ後に使用できない場合にＧＷ間ハンドオフトンネル確立に用いるＩＰアドレス）。システム間ソースアクセスネットワーク識別子（例えばＧＷ２２０が用いて、ユーザの再認証が必要か判定するＩＳＳＡＮＩ）。ユーザ装置能力。セッションステータス（「ＬＴＥアクティブ」や「ＨＲＰＤ休止」など、ソースネットワークにおけるセッションステートを示す情報）。セキュリティステータス（ＵＥ２１４が認証され、Ａ１１確立の際にＡＡＡ２２６からの許可情報を要求するためにＧＷ２２による使用が可能であることを示す情報）。ターゲットセル識別子。
【００２２】
メッセージ３０４で提供される情報を選択して、ＬＴＥシステムとＨＲＰＤシステムとの間のハンドオフを最適化する。この情報の使用および最適化のいくつかについては既に説明した。その他については、図３にしたがう信号送信に関して以下で説明する。例えば、無線ネットワーク間で発生するレイヤ２信号送信を必ずしもＧＷ２２０が認識しているわけではないため、ハンドオーバされた接続が関連するのは同一のハイブリッドネットワーク２００の一部である（潜在的には再認証が必要ない）ＬＴＥＲＡＮ２０４なのか、それとも別のネットワークの一部である（ＵＥ２１４を再認証することが好ましい場合もある）ＬＴＥＲＡＮ２０４なのか、ＧＷ２２０が決定する機構はＩＳＳＡＮＩ情報エレメントが提供する。
【００２３】
ステップ３０６において、ＨＲＰＤＡＮ２１３がＡ１１インタフェースによってＳＡＥＧＷ／ＰＤＳＮ２２０へ登録要求メッセージを送信し、Ａ１０接続を設立する。メッセージ３０６は、上述のシステム間ソースアクセスネットワーク識別子やセキュリティステータス情報など、メッセージ３０４を介してＨＲＰＤＡＮ２１３が受信した追加情報を含むものとすることができる。この情報をＳＡＥＧＷ／ＰＳＤＮ２２０が用いて、（ａ）ＲＯＨＣ（ヘッダ圧縮）パラメータの維持、（ｂ）ＩＰｖ６プレフィックスまたはＣｏＡの維持、および／または（ｃ）新たな接続による移動中ＩＰおよびユーザコンテキスト情報など、適当な動作を行うものとすることができる。このように、本発明で説明するいくつかの機構のうちの１つとしてハンドオフが実際に発生する前にＡ１０接続を確立し、ＵＥ２１４とＬＴＥｅＮＢ２１２との間の元の接続の「ブレーク（ｂｒｅａｋｉｎｇ）」と、ＵＥ２１４とＨＲＰＤＡＮ２１３との間の次の接続の「メーク（ｍａｋｉｎｇ）」との間の時間を短縮する。任意で、セキュリティステータス情報およびシステム間ソースアクセスネットワーク識別子に基づいて、ＳＡＥＧＷ／ＰＤＳＮ２２０は、ＨＳＳ／ＡＡＡサーバ２２６に対する許可要求（メッセージ３０８として図示）を開始し、ユーザプロファイル情報（例えばユーザＱｏＳプロファイル）を取得し、新たなアクセスの種類の許可情報を示すものとすることも可能である。
【００２４】
メッセージ３０８がいかなるハンドオフに対して送信されたものであっても、ＳＡＥＧＷ／ＰＤＳＮ２２０は、例えば加入者のＱｏＳプロファイルなどを含むＡ１１登録報告メッセージ３１２をターゲットＨＲＰＤＡＮ２１３へ送信する。メッセージ／ステップ３０６、３０８、３１２に対して独立に、ＨＲＰＤＡＮ２１３は、ＭＭＥ２２８へのＡｘＩＳセッションコンテキスト応答メッセージ３１０でメッセージ３０４に応答する。メッセージ３１０は、例えば、ターゲットＨＲＰＤＡＮ２１３がハンドオフを受け入れたということを示し、後にＵＥ２１４へ送信されることとなるハンドオフ命令メッセージのカプセル化したものを示す。再送信するメッセージをカプセル化してハンドオフ命令を渡すことにより、例えば、ＵＥ２１４による処理に関連した挙動およびステートマシーンを不変としておくことが可能となる。
【００２５】
さらにこれにより、Ａ１０接続が設立している（また、もしあれば許可が発生する）のと同じだけの時間、ＭＭＥ２２８がハンドオフの用意を続けることが可能となる。特に、ＭＭＥ２２８は、ＵＥ２１４が目下接続中のＬＴＥｅＮＢ２１２へ再配置命令３１４を送信する。再配置命令３１４は、メッセージ３１０を介してＭＭＥ２２８が受信したカプセル化したＨＲＰＤハンドオフ命令を含む。このように、ＬＴＥｅＮＢ２１２は、ＵＥ２１４がＬＴＥＲＡＮ２０４への接続のブレークを行う時刻に、ＵＥ２１４へエアインタフェースを介してハンドオフ命令３１６を発する。このような実施形態例によれば、（１）ＵＥ２１４がＬＴＥＲＡＮ２０４との接続を失う前に予めＡ１０接続が確立され、ユーザのＨＲＰＤＱｏＳプロファイルはハンドオフが発生する前にすでにターゲットＨＲＰＤＡＮ２１３へダウンロードされており、その両方がシステム間ハンドオフ処理の効率改善のためにはたらく、ということに留意されたい。
【００２６】
次に、信号３１８および３２０で示すように、ターゲットＨＲＰＤＡＮ２１３は、ＵＥ２１４を取得し、トラフィックチャネルに割り当てる。Ａ１１登録要求（アクティブスタート）メッセージ３２１をｌＨＲＰＤＡＮ２１３からＧＷ‐ＰＤＳＮＵＰＥ２２０へ送信し、このＵＥに向けたトラフィックをターゲットＨＲＰＤＡＮ２１３へ伝達可能であるということをＰＤＳＮに通知する。個の時点でレイヤ２接続が確立され、また、レイヤ３信号送信（ここでは示さないが、例えば上で参照により組み入れた特許出願を参照）が発生するものとすることも可能である。ＧＷ‐ＰＤＳＮＵＰＥ２２０は、メッセージ３２２を介してメッセージ３２１に肯定応答することとなる。次に、様々な装置間で一連の解放／完了信号、すなわち信号３２４、３２６、３２８、３３０、３３２を送信し、ハンドオフがうまく完了したことを互いに通知しあって、例えばＵＥ２１４がもはや必要としないＬＴＥシステム資源に対するＭＭＥ２２８による資源クリーンアップなど、ハンドオフ後の手順の開始を可能とする。
【００２７】
信号送信３３４を用いて、ＵＥ２１４に対してＩＰネットワーク２１０とのポイントツーポイントプロトコル（ＰＰＰ：ｐｏｉｎｔ‐ｔｏ‐ｐｏｉｎｔ  ｐｒｏｔｏｃｏｌ）接続を提供する（システムのＨＲＰＤ部分においてＵＥ２１４がアイドルであるから行う）。図３の信号流れ図例に示す他の信号送信のように、信号送信３３４については、単に信号３２４〜３３２の下に図示してあるからといって、必ずしも信号３２４〜３３２の後に発生するものではないということに留意されたい。実際、ＰＰＰ信号送信３３４は、信号３２４〜３３２と並行して発生するものとすることができる。例えば、信号３２２の直後に発生し、ＵＥ２１４とゲートウェイ２２０との間にパケットデータセッションを確立するものとすることが可能である。ＰＰＰ接続に関連して、メッセージ３３６および３３８を介して任意の許可処理を行うことも可能である（これが以前共有したセキュリティステータス情報に基づくゲートウェイ内ハンドオフであるため、および／または以前にステップ３０８を介して許可を行った場合には、このステップを飛ばしてもよいが）。ＰＰＰ接続の確立後、ＧＷ‐ＰＤＳＮＵＰＥ２２０は、ＬＴＥアクセスで用いるものと同一のプレフィックスを含むルータアドバタイズメント（ＲＡ：ｒｏｕｔｅｒ  ａｄｖｅｒｔｉｓｅｍｅｎｔ）をＵＥ２１４へ送信することで、これをＵＥ２１４に通知するが、ＵＥ２１４がＧＷＨＡ２２２へ新たな結合更新（ＢＵ：ｂｉｄｉｎｇ  ｕｐｄａｔｅ）を送信する必要はない。
【００２８】
ＨＲＰＤＲＡＮ２０２におけるアイドル（ＰＰＰ接続の確立なし）のＵＥ２１４についてＬＴＥからＨＲＰＤへの方向にハードハンドオフを行う一実施形態例を説明したが、次は、図４と併せて、ＨＲＰＤＲＡＮ２０２における休止の（すなわち、ＨＲＰＤＡＮ２１３とは、ＧＷ‐ＰＤＳＮＵＰＥ２２０において既存のＰＰＰ接続はあるが、目下、トラフィックチャネルはない）ＵＥ２１４についてＬＴＥからＨＲＰＤへの方向にハードハンドオフを行う一実施形態例を説明する。ここでは、ブロック４００において、例えばパケットゾーン境界が交差する場合などに、ＬＴＥＲＡＮ２０４からＨＲＰＤＲＡＮ２０２へＵＥ２１４をハンドオフすると決める。このように、この実施形態例によれば、ハイブリッドシステム２００のＬＴＥ部分に関連したルーティングエリア境界がＨＲＰＤサブネット境界でもあるかどうかをＵＥ２１４に通知する能力をｅＮＢ２１２／ＭＭＥ２２８が有するため、ＵＥ２１４はハンドオフを開始すべきときを決めることができる。例えば、ｅＮＢ２１２については、隣接セルの静的プロビジョニング（すなわち設定データ）の提供を受け、ＵＥ２１４に対して当該情報のブロードキャスティングを行うものすることができる。かかる情報は、当該実施形態例によれば、隣接ＨＲＰＤセルに関する情報を含むものとすることができる。この実施形態例では、次に、ＵＥ２１４がＨＲＰＤＡＮ２１３との接続を直接要求（メッセージ４０２）し、ＨＲＰＤＡＮ２１３は、Ａ１１登録要求（メッセージ４０４）およびＡ１１登録応答（メッセージ４０６）を介して、得られるＡ１０接続確立を開始する。次に、トラフィックチャネル割当４０８およびチャネル確立４１０の信号送信で示すように、ＨＲＰＤトラフィックチャネルをＵＥ２１４に割り当てる。
【００２９】
ここで、ＵＥ２１４はＨＲＰＤＲＡＮ２０２に接続され、アップリンクトラフィック、ダウンリンクトラフィックをそれぞれ送信、受信可能となる。次に、ハンドオフは、以前のＬＴＥ接続で用いたものと同一のプレフィックスを含むルータアドバタイズメントメッセージ４１２をＵＥ２１４へ送信することによって完了される。ＧＷ‐ＰＤＳＮＵＰＥ２２０から解放要求メッセージ４１４を送信し、ＭＭＥ２２８にＵＰＥコンテキストを解放し、そしてＭＭＥ２２８は要求４１６をｅＮＢ２１２へ送信し、このＵＥ２１４に対する以前のＬＴＥシステム接続に関連したその資源を解放する。解放メッセージ４１４、４１６の肯定応答について、図４ではそれぞれメッセージ４２０、４１８と示す。この実施形態例によれば、ＵＥ２１４は、それがハンドオフの実行中は接続されるがＨＲＰＤＡＮ２１３と通信を直接行うｅＮＢ２１２を含んでいない。
【００３０】
しかしながら、図５に示す別の実施形態例によれば、ＵＥ２１４は、休止ＨＲＰＤ接続を有するＵＥ２１４をハンドオフするため、ハイブリッドシステム２００のＬＴＥＲＡＮ部分を用いて、システムのＨＲＰＤ部分に対する接続要求を開始する。ここで、ブロック５００において、例えばパケットゾーン境界が交差する場合などに、ＬＴＥＲＡＮ２０４からＨＲＰＤＲＡＮ２０２へＵＥ２１４をハンドオフすると決める。このように、この実施形態例によれば、ハイブリッドシステム２２０のＬＴＥ部分に関連したルーティングエリア境界がＨＲＰＤサブネット境界でもあるかどうかをＵＥ２１４に通知する能力をｅＮＢ２１２／ＭＭＥ２２８が有しているため、ＵＥ２１４はハンドオフを開始するときを決めることができる。次に、メッセージ５０２および５０４で示すように、ＨＲＰＤ接続要求メッセージをＬＴＥメッセージにカプセル化し、ＵＥ２１４からｅＮＢ２１２へ、そしてＭＭＥ２２８へそれぞれＬＴＥメッセージを送信する。次に、ＭＭＥ２２８は、例えば新たなＡｘインタフェースを用いて、またはＡ２１インタフェースなどの既存のインタフェースに対する変更として、カプセル化した接続要求メッセージをＨＲＰＤＡＮ２１３へメッセージ５０６を介して送信する。
【００３１】
次に、ＨＲＰＤＡＮ２１３は、同一のトンネリング機構を用いて、トラフックチャネル割当（ＴＣＡ：ｔｒａｆｆｉｃ  ｃｈａｎｎｅｌ  ａｓｓｉｇｎｍｅｎｔ）メッセージをＭＭＥ２２８に返信する。ｅＮＢ２１２、ＵＥ２１４へ、それぞれメッセージ５１２、５１０で、カプセル化したＴＣＡメッセージを転送する。ＨＲＰＤトラフィックチャネルの割当と並行して、それぞれＧＷ‐ＰＤＳＮＵＰＥ２２０へ／からのＡ１１登録信号５１４、５１６を用いて、Ａ１０接続を設立する。参照番号５１８で示すように、次に、ＵＥ２１４は、割り当てられたトラフィックチャネルに関連したＨＲＰＤ周波数にチューニングし、アップリンクデータおよびダウンリンクデータを伝送可能なＨＲＰＤＲＡＮ２０２への移行を完了することができる。ＧＷ‐ＰＤＳＮＵＰＥ２２０は、ＬＴＥ接続で用いるプレフィックスとともにＲＡメッセージを、メッセージ５２０としてＵＥ２１４へ送信し、そうするとメッセージ５２２〜５２８で示すように、様々なＬＴＥ資源を解放することができる。図４の実施形態例と比較すると、図５の実施形態例は、例えばＨＲＰＤトラフィックチャネルやＡ１０接続などのハンドオフ資源の予約／割当が行われている時間、ＵＥ２１４がＬＴＥＲＡＮ２０４に接続されたままなので、「ブレーク対メーク（ｂｒｅａｋ‐ｔｏ‐ｍａｋｅ）」時間を削減する。
【００３２】
ＬＴＥからＨＲＰＤへの方向の実施形態例に係るハンドオフを説明したが、ここで、反対方向、すなわちＨＲＰＤＲＡＮ２０２からＬＴＥＲＡＮ２０４への方向のハンドオフの一実施形態例の説明を、図６の議論から始める。ここでは、ステップ６００において、ソースＨＲＰＤＡＮ２１３が、例えばＵＥ２１４から受信した情報に基づいて、システム間ハードハンドオフを行うと決める。信号６０２で示すように、フロー制御が無効である場合、ＨＲＰＤＡＮ２１３は、任意でＧＷ‐ＰＤＳＮＵＰＥ２２０を要求し、データ送信を中断することができる。この後者の特徴を利用する場合、ハイブリッドシステム２００のＬＴＥ部分へハンドオフできるまでＵＥ２１４はデータを送信できないため、ブレーク対メーク時間が増加することになる、ということを了解されたい。他方で、この特徴を無効とし、メッセージ６０２を送信しなければ、ステップ６１８においてハンドオフ命令を受信するまで、ＵＥ２１４はハイブリッドシステム２００のＨＲＰＤ部分でデータ送信を続行可能であり、したがってブレーク対メーク時間は削減される。
【００３３】
フロー制御メッセージ６０２が送信されたかどうかにかかわらず、ハンドオフ処理は続行し、ＨＲＰＤＡＮ２１３がＡｘＩＳセッションコンテキストメッセージをＭＭＥ２２８へ送信し、ハンドオフを開始することになる。このメッセージは、例えば以下の情報エレメントのうちのいくつかまたは全部を含むものとすることができる。ＵＥ２１４に関連したＩＤ（ＭＮ‐ＩＤ）。サービングＧＷ識別子（たとえばＧＷ２２０に関連したＩＰアドレス。ハンドオフ前後で同一のＧＷ２２０が使用可能）。ＧＷ間ハンドオフアドレス（例えば目下サービス中のＧＷ２２０がハンドオフ後に使用できない場合にＧＷ間ハンドオフトンネル確立に用いるＩＰアドレス）。システム間ソースアクセスネットワーク識別子（例えばＧＷ２２０が用いて、ユーザの再認証が必要か判定するＩＳＳＡＮＩ）。ユーザ装置能力。セッションステータス（「ＬＴＥアクティブ」や「ＨＲＰＤ休止」など、ソースネットワークにおけるセッションステートを示す情報）。セキュリティステータス（ＵＥ２１４が認証され、Ａ１１確立の際にＡＡＡ２２６からの許可情報を要求するためにＧＷ２２による使用が可能であることを示す情報）。ターゲットセル識別子。ＨＲＰＤＡＮ２１３ではなくターゲットＬＴＥｅＮＢ２１２がＭＭＥ２２８によって選択されるため、ターゲットセル識別子は、このメッセージ６０４には含まれないのが典型であろう。加えて、上述のように、新たなＡｘインタフェースを用いるのではなく、メッセージ６０４、あるいはその関連の前挙情報エレメントの１または２以上を、例えばＡ２１インタフェースなどの既存のインタフェースの変形を介して伝送することも可能である。
【００３４】
メッセージ６０４〜６１４は、この実施形態例にしたがってターゲットＬＴＥシステム２０４における再配置を行うのに用いる手順を示している。ＵＰＥ再配置要求６０６は、例えば、ＧＷ内ハードハンドオフが発生したかどうか判定するためにＧＷ‐ＰＤＳＮＵＰＥ２２０が用いるＭＮ‐ＩＤ、セキュリティステータス、システム間ソースアクセスネットワーク識別子を含むものである。発生した場合、ＧＷ‐ＰＤＳＮＵＰＥ２２０は、ＲＯＨＣパラメータの維持（すなわちＨＲＰＤによる当該パラメータのネゴシエーションの必要なし）、ＩＰｖ６プレフィックスまたはＣｏＡの維持してＭＩＰ登録手順がＵＥ２１４にとって必要なし、および／または新たな接続による移動中ＩＰおよびユーザコンテキスト情報など、適当な動作を行うものとすることができる。セキュリティステータス情報およびシステム間ソースアクセスネットワーク識別子に基づいて、ＧＷ‐ＰＤＳＮＵＰＥ２２０は、任意の許可要求（メッセージ６０８）を開始し、ユーザプロファイル情報を得て、新たなアクセスの種類の許可情報を示すものとすることもできる。次に、ＭＭＥ２２８を介してｅＮＢ２１２へ、ＧＷ‐ＰＤＳＮＵＰＥ２２０のＩＤを含む再配置応答情報を転送する（信号６１０、６１２）。それに応じて、ターゲットｅＮＢ２１２は、そのＩＤを含む要求肯定応答信号６１４で応答する。
【００３５】
例えばハンドオフ後にＵＥ２１４との無線通信をサポートするターゲットｅＮＢ２１２のＩＤなどの再配置情報が決定されると、ＭＭＥ２２８は、はじめのＨＲＰＤＡＮ２１３へＡｘＩＳセッションコンテキスト応答６１６を送信し、ハンドオフを受け入れることを示し、ハンドオフ命令メッセージを含む。ハンドオフ命令メッセージはＨＲＰＤ無線チャネルでカプセル化されてＵＥ２１４へ送信されることとなる。そして、ＨＲＰＤＡＮ２１３は、信号送信６１８で示すように、このハンドオフ命令をＵＥ２１４へ送信可能であり、ハンドオフが開始される。メッセージ６１６、６１８の信号送信と並行してメッセージ６２０、６２２を送信し、ＧＷ‐ＰＤＳＮＵＰＥ２２０にターゲットｅＮＢ２１２のＩＤを与え、ｅＮＢ２１２とＧＷ‐ＰＤＳＮＵＰＥ２２０との間にトンネルを確立するようにすることができる。そのとき、メッセージ６２４がメッセージ６１６に対して肯定応答を行い、ハンドオフが完了し、ＵＥ２１４が肯定応答を行う（メッセージ６２６）。次に、ＨＲＰＤネットワークにおいて資源を解放することが可能であり、ＵＥ２１４が新たなチャネルに接続できたら、メッセージ６２６〜６３６でＭＭＥ２２８がＧＷ‐ＰＤＳＮＵＰＥ２２０に通知することができる。ＬＴＥアクセスで同一のプレフィックスを用いて、ＧＷ‐ＰＤＳＮＵＰＥ２２０からＵＥ２１４へルータアドバタイズメントメッセージ６３８を送信し、ＵＥ２１４はＬＴＥＲＡＮ２０４を介してトラフィックを送受信することとなる。
【００３６】
別々のＰＤＳＮとＳＡＥゲートウェイ
上述の実施形態例では、ハイブリッドネットワークのＨＲＰＤ部分に関連したＰＤＳＮノードと、ハイブリッドネットワークのＬＴＥ部分に関連したＳＡＥゲートウェイノードとが単一のノードに一緒に集積されている。しかしながら、当該実施形態例に係るハンドオフはそのような機構に限定されるものではなく、ＰＤＳＮとＳＡＥゲートウェイとが独立であるハイブリッドＨＲＰＤ／ＬＴＥシステムにおいて用いることも可能である。図７は、システムのＬＴＥ部分からシステムのＨＲＰＤ部分へのハードハンドオフにおけるこのような一実施形態例に係る信号送信フローを示しており、ＰＤＳＮ７６０とＳＡＥゲートウェイ７６２とは別々のノードである。この実施形態例で用いる信号の多くは、図３の集積ＰＤＳＮ／ＳＡＥゲートウェイ実施形態について上述したもの同一であり、同一である信号については、図７でも同一の参照番号を用いており、このような信号について上述した説明を参照することで、ここに組み入れる。
【００３７】
しかしながら、相違点もいくつかあるので、さらに説明する。例えば、任意許可に関して図３に示したメッセージ３０８は、図７では省略してある。図３のＧＷ内シナリオとは異なり、ハンドオフ中のＵＥ２１４のコンテキストは異なるＧＷ、すなわちＬＴＥのＳＡＥＧＷＵＰＥ７６２にあるため、メッセージ３０６後にＰＤＳＮ７６０が許可要求を開始しないものとすることも可能である。このように、加入者ＱｏＳプロファイルは、ステップ３３４におけるＰＰＰ確立の間だけＰＤＳＮ７６０が受け取ることとなる。そして、ＰＤＳＮ７６０は、メッセージ３３４の後のメッセージ７００において、ＵＥ２１４の許可を要求するものとすることができる。加えて、レイヤ２ハンドオフ信号送信処理ではこのときまで、ＰＤＳＮ７６０はＱｏＳプロファイルを有していないため、別のＡ１１メッセージ７０２および７０４の組をＰＤＳＮ７６０とＨＲＰＤＡＮ２１３との間で交わし、無線ネットワークに加入者のＱｏＳプロファイルを提供する。このとき、例えば上で参照により組み入れた特許出願に記載があるようなレイヤ３信号送信を行うものとすることが可能である。
【００３８】
ＲＡメッセージ７０６は、ＵＥ２１４へ送信されるものであり、新たなプレフィックスを含んでいる（以前に当該装置との通信を制御していたノード７６２とは異なるゲートウェイであるため）。ＵＥ２１４は、メッセージ７０８として、鍵管理設定（ＫＭＣ：Ｋｅｙ  Ｍａｎａｇｅｍｅｎｔ  Ｃｏｎｆｉｇｕｒａｔｉｏｎ）フラグセットとともに結合更新（ＢＵ）を送信する。ＧＷＨＡ２２２は、ＩＫＥＳＡおよびモビリティ結合を更新し（ここでＵＥがターゲットゲートウェイを介して通信を行っていることがわかる）、ＫＭＣフラグセットとともに結合肯定応答（ＢＡ：ｂｉｎｄｉｎｇ  ａｃｋｎｏｗｌｅｄｇｅｍｅｎｔ）を送信し、ＩＫＥＳＡ更新を行ったことを示す。ここで、ユーザデータパスをここで新たなＣｏＡに交換し、アップリンクおよびダウンリンクトラフィックは、ここでＨＲＰＤトラフィックチャネルによって送信可能となる。
【００３９】
図８は、はじめＬＴＥＲＡＮ２０４に接続されるＵＥからハイブリッドシステム２００のＨＲＰＤ部分へハンドオフに関連したレイヤ２信号送信を示しており、ＨＲＰＤＲＡＮ２０２においてＵＥは休止接続を有している。このように、この実施形態例は、図４について上述した実施形態例と同様のものであり、同様のメッセージ／信号は同一の参照番号を有しており、参照することによってここに組み入れる。しかしながら、ＰＤＳＮ７６０とＳＡＥ‐ＧＷＵＰＥ７６２とは別体であるため、いくつか相違点がある。例えば、ターゲットＰＤＳＮ７６０のＩＤの判定後（すなわち信号４０４および４０６を介したＡ１０接続の確立後）、メッセージ８０２を介してＵＥ２１４の認証／許可を行うものとすることができる。結合更新８０４および対応する肯定応答８０６、８１０もＧＷＨＡ２２２で行うことが可能である。同様に、セッション終了信号８０８および８１０を提供し、ハンドオフ後、ＡＡＡ２２６とのＬＴＥセッションを終了させる。
【００４０】
上述の実施形態例は、ＨＲＰＤシステムとＬＴＥシステムとの間のハンドオフに関連した信号送信を行うレイヤ２を説明するものである。様々な通信ノードが当該信号通信に関わっていると説明した。このようなノードは、例えば、図９に図示する一例などのサーバとして実施可能である。サーバ９００は、処理部９０２（または複数のプロセッサコア）と、記憶部９０４と、１または２以上の２次格納装置９０６と、インタフェース部９０８とを備えるものとして、ネットワーク通信ノード９００と残りのネットワークとの間の通信を容易にすることができる。加えて、サーバ９００は、リンクレイヤあるいはレイヤ２プロトコル処理ソフトウェアを含むものとして、例えば上述のＭＭＥ２２８、ＨＲＰＤＡＮ２１３、またはゲートウェイノード２２０としての動作を可能とすることもできる。
【００４１】
上述の実施形態例は、本発明のあらゆる点において、限定的ではなく例示的なものであることを意図している。このように、当業者であれば、本発明について、本明細書に含まれた記載から導くことができる詳細な実施形態において様々な変更が可能である。このような変更や修正も全て、添付の特許請求の範囲が定める本発明の範囲や趣旨の内にあるものと考えられる。本出願の記載において用いたいかなるエレメント、動作、命令も、本発明の決定的または本質的なものであるとの明示がない限り、そのように解釈すべきではない。また、ここで用いた冠詞「ａ」は、１または２以上のアイテムを含むことを意図している。
【図１】
0005706471.tif 000002
【図２（ａ）】
0005706471.tif 000003
【図２（ｂ）】
0005706471.tif 000004
【図３】
0005706471.tif 000005
【図４】
0005706471.tif 000006
【図５】
0005706471.tif 000007
【図６】
0005706471.tif 000008
【図７】
0005706471.tif 000009
【図８】
0005706471.tif 000010
【図９】
0005706471.tif 000011